(57)【要約】【課題】電気工事を要さずに、電力供給装置の放電優先性を簡易に変更する。【解決手段】第１の接続点を介して負荷へ電力を供給する第１の電力供給装置と、第２の接続点を介して負荷へ電力を供給する第２の電力供給装置と、第１の電源ケーブルに流れる電流を検出する第１の電流センサと、第１の電源ケーブルに流れる電流を検出する第２の電流センサと、を備え、第１の電力供給装置は、第１の電流センサが検出した電流値が第１の閾値に近づくように、第１の接続点へ出力する電力を制御し、第２の電力供給装置は、前記第２の電流センサが検出した電流値が第１の閾値とは異なる第２の閾値に近づくように、第２の接続点へ出力する電力を制御し、第２の電力供給装置が第１の電力供給装置よりも優先して前記負荷へ電力を供給する場合、第２の閾値は、第１の閾値より小さい値に設定され、第１の電力供給装置が第２の電力供給装置よりも優先して負荷へ電力を供給する場合、第１の閾値は、第２の閾値より小さい値に設定される。【選択図】図１
2016019368.tif 000002
【特許請求の範囲】
【請求項１】
系統電源と負荷との間に接続された複数の電源ケーブルのうちの第１の電源ケーブルに第１の出力点で接続され、前記第１の出力点を介して前記負荷へ電力を供給する第１の電力供給装置と、
前記第１の電源ケーブルに第２の出力点で接続され、前記第２の出力点を介して前記負荷へ電力を供給する第２の電力供給装置と、
前記第１の出力点及び前記第２の出力点よりも前記系統電源側に配置され、前記第１の電源ケーブルに流れる電流の電流値を検出する少なくとも一つの電流センサと、
を備え、
前記第１の電力供給装置は、前記電流センサが検出した電流値を用いて算出された前記系統電源から前記負荷に供給される電力の値である第１の電力値または前記電流センサが検出した電流値と、第１の閾値とを比較し、比較結果に応じて出力する電力を制御し、
前記第２の電力供給装置は、前記電流センサが検出した電流値を用いて算出された前記系統電源から前記負荷に供給される電力の値である第２の電力値または前記電流センサが検出した電流値と、第２の閾値とを比較し、比較結果に応じて出力する電力を制御し、
前記第２の電力供給装置が前記第１の電力供給装置よりも優先して前記負荷へ電力を供給する場合、前記第２の閾値は、前記第１の閾値より小さい値に設定され、
前記第１の電力供給装置が前記第２の電力供給装置よりも優先して前記負荷へ電力を供給する場合、前記第１の閾値は、前記第２の閾値より小さい値に設定される
分散型給電システム。
【請求項２】
前記第１の電力供給装置は、前記第１の電力値または前記第１の電流値が前記第１の閾値に近づくように出力する電力を制御し、
前記第２の電力供給装置は、前記第２の電力値または前記第２の電流値が前記第２の閾値に近づくように出力する電力を制御する
請求項１に記載の分散型給電システム。
【請求項３】
前記第２の閾値は可変であり、
前記第２の電力供給装置が前記第１の電力供給装置よりも優先して前記負荷へ電力を供給する場合、前記第２の閾値は、前記第１の閾値より小さい値に設定され、
一方、前記第１の電力供給装置が前記第２の電力供給装置よりも優先して前記負荷へ電力を供給する場合、前記第２の閾値は、前記第１の閾値より大きい値に設定される
請求項１または２に記載の分散型給電システム。
【請求項４】
前記第１の閾値は可変であり、
前記第１の電力供給装置が前記第２の電力供給装置よりも優先して前記負荷へ電力を供給する場合、前記第１の閾値は、前記第２の閾値より小さい値に設定され、
一方、前記第２の電力供給装置が前記第１の電力供給装置よりも優先して前記負荷へ電力を供給する場合、前記第１の閾値は、前記第２の閾値より大きい値に設定される
請求項１または２に記載の分散型給電システム。
【請求項５】
前記第１の閾値は、前記第１の電力供給装置に設定された最低買電電力、ピークカット電力、またはこれらに準ずる放電閾値であり、
前記第２の閾値は、前記第２の電力供給装置に設定された最低買電電力、ピークカット電力、またはこれらに準ずる放電閾値である
請求項１から４のいずれか一項に記載の分散型給電システム。
【請求項６】
前記第１の電力供給装置は、燃料電池を備え、
前記第２の電力供給装置は、蓄電池を備える
請求項１から５のいずれか一項に記載の分散型給電システム。
【請求項７】
前記電流センサは、変流器である
請求項１から６のいずれか一項に記載の分散型給電システム。
【請求項８】
前記第１の電力供給装置の定格出力電力と前記第２の電力供給装置の定格出力電力は異なる
請求項１から７のいずれか一項に記載の分散型給電システム。
【発明の詳細な説明】
【技術分野】
【０００１】
本発明は、分散型給電システムに関する。
【背景技術】
【０００２】
従来、燃料電池または蓄電池などの分散型の電力供給装置を系統連系させる場合、電流センサにより負荷への電流が監視されている。また、急な負荷変動などの際に電力が逆潮しないように、常に一定の電力が系統から負荷へ供給されるように制御されている。
【０００３】
例えば、系統電源と負荷機器との間に設けられた系統電源ラインと電気的に接続された第１の電力供給装置及び第２の電力供給装置を有し、第１の電力供給装置の電源ラインは、第１の合流点で系統電源ラインと合流し、第２の電力供給装置の電源ラインは、第１の合流点よりも負荷機器側に設けられた第２の合流点で系統電源ラインと合流する給電システムが知られている（特許文献１参照）。
【０００４】
この給電システムでは、系統電源と第１の合流点との間で系統電源ライン上に設けられた第１の電流センサと、第１の合流点と第２の合流点との間で系統電源ライン上に設けられた第２の電流センサと、を有する。
【先行技術文献】
【特許文献】
【０００５】
【特許文献１】特開２０１３−１５０４８５号公報
【発明の概要】
【発明が解決しようとする課題】
【０００６】
しかし、このような従来の給電システムでは、負荷機器側（下流側）に設けられた第２の電力供給装置が優先して電力を負荷へ供給することが決まってしまう。このため、優先的に負荷へ電力を供給させたい電力供給装置を変更する場合、すなわち電力供給装置の放電優先性を変更する場合、電気工事を要するという問題がある。
電気工事を行わずに制御の工夫により、複数の電力供給装置の放電優先性を変更する方法も考えられるが、各機器の稼働率の低下や電流センサの増加によるコスト増加及びシステムの複雑化が生じる。
【０００７】
そこで本発明は、上記問題に鑑みてなされたものであり、電気工事を要さずに、電力供給装置の放電優先性を簡易に変更することを可能にする分散型給電システムを提供することを目的とする。
【課題を解決するための手段】
【０００８】
本発明の一態様に係る分散型給電システムは、
系統電源と負荷との間に接続された複数の電源ケーブルのうちの第１の電源ケーブルに第１の出力点で接続され、前記第１の出力点を介して前記負荷へ電力を供給する第１の電力供給装置と、
前記第１の電源ケーブルに第２の出力点で接続され、前記第２の出力点を介して前記負荷へ電力を供給する第２の電力供給装置と、
前記第１の出力点及び前記第２の出力点よりも前記系統電源側に配置され、前記第１の電源ケーブルに流れる電流の電流値を検出する少なくとも一つの電流センサと、
を備え、
前記第１の電力供給装置は、前記電流センサが検出した電流値を用いて算出された前記系統電源から前記負荷に供給される電力の値である第１の電力値または前記電流センサが検出した電流値と、第１の閾値とを比較し、比較結果に応じて出力する電力を制御し、
前記第２の電力供給装置は、前記電流センサが検出した電流値を用いて算出された前記系統電源から前記負荷に供給される電力の値である第２の電力値または前記電流センサが検出した電流値と、第２の閾値とを比較し、比較結果に応じて出力する電力を制御し、
前記第２の電力供給装置が前記第１の電力供給装置よりも優先して前記負荷へ電力を供給する場合、前記第２の閾値は、前記第１の閾値より小さい値に設定され、
前記第１の電力供給装置が前記第２の電力供給装置よりも優先して前記負荷へ電力を供給する場合、前記第１の閾値は、前記第２の閾値より小さい値に設定される。
【０００９】
本発明の一態様に係る前記分散型給電システムにおいて、
前記第１の電力供給装置は、前記第１の電力値または前記第１の電流値が前記第１の閾値に近づくように出力する電力を制御し、
前記第２の電力供給装置は、前記第２の電力値または前記第２の電流値が前記第２の閾値に近づくように出力する電力を制御する。
【００１０】
本発明の一態様に係る前記分散型給電システムにおいて、
前記第２の閾値は可変であり、
前記第２の電力供給装置が前記第１の電力供給装置よりも優先して前記負荷へ電力を供給する場合、前記第２の閾値は、前記第１の閾値より小さい値に設定され、
一方、前記第１の電力供給装置が前記第２の電力供給装置よりも優先して前記負荷へ電力を供給する場合、前記第２の閾値は、前記第１の閾値より大きい値に設定される。
【００１１】
本発明の一態様に係る前記分散型給電システムにおいて、
前記第１の閾値は可変であり、
前記第１の電力供給装置が前記第２の電力供給装置よりも優先して前記負荷へ電力を供給する場合、前記第１の閾値は、前記第２の閾値より小さい値に設定され、
一方、前記第２の電力供給装置が前記第１の電力供給装置よりも優先して前記負荷へ電力を供給する場合、前記第１の閾値は、前記第２の閾値より大きい値に設定される。
【００１２】
本発明の一態様に係る前記分散型給電システムにおいて、
前記第２の閾値は、前記第１の閾値より小さい値に設定されており、
前記負荷の消費電力が所定値から前記第２の電力供給装置の定格出力電力以下の範囲で増加したとき、前記第２の電力供給装置は、前記第２の電力値が前記第２の閾値に近づくように出力する電力を増加させる。
【００１３】
本発明の一態様に係る前記分散型給電システムにおいて、
前記第２の閾値は、前記第１の閾値より小さい値に設定されており、
前記負荷の消費電力が所定値から前記第２の電力供給装置の定格出力電力を超える電力に増加したとき、前記第２の電力供給装置は、前記第２の電力値が前記第２の閾値に近づくように出力する電力を増加させ、前記第１の電力供給装置は、前記第１の電力値が前記第１の閾値に近づくように出力する電力を増加させる。
【００１４】
本発明の一態様に係る前記分散型給電システムにおいて、
前記第２の閾値は、前記第１の閾値より大きい値に設定されており、
前記負荷の消費電力が所定値から前記第１の電力供給装置の定格出力電力以下の範囲で増加したとき、前記第１の電力供給装置は、前記第１の電力値が前記第１の閾値に近づくように出力する電力を増加させる。
【００１５】
本発明の一態様に係る前記分散型給電システムにおいて、
前記第２の閾値は、前記第１の閾値より大きい値に設定され、且つ前記第１の電力供給装置の出力電力の応答速度が前記第２の電力供給装置の出力電力の応答速度より遅い場合、前記負荷の消費電力が所定値から前記第１の電力供給装置の定格出力電力以下の範囲で増加した時に、前記第２の電力供給装置は、前記第２の電力値が前記第２の閾値に近づくように前記第２の接続点へ出力する電力を増加させ、その後、前記第１の電力供給装置は、前記第１の電力値が前記第１の閾値に近づくように出力する電力を増加させ、前記第２の電力供給装置は出力する電力を減少させる。
【００１６】
本発明の一態様に係る前記分散型給電システムにおいて、
前記第２の閾値は、前記第１の閾値より大きい値に設定されており、
前記負荷の消費電力が所定値から前記第１の電力供給装置の定格出力電力及び前記第２の電力供給装置の定格出力電力を超える電力に増加した場合、前記第１の電力供給装置は、前記第１の電力値が前記第１の閾値に近づくように出力する電力を増加させ、前記第２の電力供給装置は、前記第２の電力値が前記第２の閾値に近づくように出力する電力を制御する。
【００１７】
本発明の一態様に係る前記分散型給電システムにおいて、
前記第２の閾値は、前記第１の閾値より大きい値に設定され、且つ前記第１の電力供給装置の出力電力の応答速度が前記第２の電力供給装置の出力電力の応答速度より遅い場合、
前記負荷の消費電力が所定値から前記第１の電力供給装置の定格出力電力及び前記第２の電力供給装置の定格出力電力を超える電力に増加した時に、前記第２の電力供給装置は、前記第２の電力値が前記第２の閾値に近づくように出力する電力を増加させ、その後、前記第１の電力供給装置は、前記第１の電力値が前記第１の閾値に近づくように出力する電力を増加させ、
前記第２の電力値が前記第２の閾値より下がった場合、前記第２の電力供給装置は、前記第２の電力値が前記第２の閾値に近づくように出力する電力を減少させる。
【００１８】
本発明の一態様に係る前記分散型給電システムにおいて、
前記第１の閾値は、前記第１の電力供給装置に設定された最低買電電力、ピークカット電力、またはこれらに準ずる放電閾値であり、
前記第２の閾値は、前記第２の電力供給装置に設定された最低買電電力、ピークカット電力、またはこれらに準ずる放電閾値である。
【００１９】
本発明の一態様に係る前記分散型給電システムにおいて、
前記第１の電力供給装置は、燃料電池を備え、
前記第２の電力供給装置は、蓄電池を備える。
【００２０】
本発明の一態様に係る前記分散型給電システムにおいて、
前記電流センサは、変流器である。
【００２１】
本発明の一態様に係る前記分散型給電システムにおいて、
前記第１の電力供給装置の定格出力電力と前記第２の電力供給装置の定格出力電力は異なる。
【００２２】
本発明の一態様に係る前記分散型給電システムにおいて、
前記第１の出力点と前記第２の出力点は、等電位でもよい。
【発明の効果】
【００２３】
従って、本発明に係る分散型給電システムは、閾値の設定を変更することで、電気工事を要さずに、電力供給装置の放電優先性を簡易に変更することができる。
【図面の簡単な説明】
【００２４】
【図１】図１は、本実施形態に係る分散型給電システム１の構成の一例を示す図である。
【図２】図２は、第２の閾値が第１の閾値より小さい値に設定されている場合の、第１の電力供給装置ＰＳ１と第２の電力供給装置ＰＳ２の出力電力の時間変化の一例である。
【図３】図３は、第２の閾値が第１の閾値より大きい値に設定されている場合の、第１の電力供給装置ＰＳ１と第２の電力供給装置ＰＳ２の出力電力の時間変化の一例である。
【発明を実施するための形態】
【００２５】
以下、本発明の一態様である実施形態について図面に基づいて説明する。
【００２６】
まず、本実施形態に係る分散型給電システム１の構成について、図１を用いて説明する。図１は、本実施形態に係る分散型給電システム１の構成の一例を示す図である。図１において、ブロック間の実線は電源ケーブルを示し、ブロック間の破線は制御ラインを示す。制御ラインは有線であっても無線であってもよい。また、図１に示すように、負荷ＬＤは、第１の負荷ＬＤ１と第２の負荷ＬＤ２とを備える。
【００２７】
図１に示すように、分散型給電システム１は、系統電源（交流電源）ＳＰの第１の出力端ＯＴ１と第１の負荷ＬＤ１の一端との間に接続された第１の電源ケーブルＣＢ１に第１の接続点ＣＰ１で接続され、系統電源ＳＰの第２の出力端ＯＴ２と第１の負荷ＬＤ１の他端との間に接続された第２の電源ケーブルＣＢ２に第３の接続点ＣＰ３で接続された第１の電力供給装置ＰＳ１を備える。第１の電力供給装置ＰＳ１は、第１の接続点ＣＰ１と第３の接続点ＣＰ３を介して第１の負荷ＬＤ１へ電力を供給する。本実施形態における第１の電力供給装置ＰＳ１は、一例として、単相３線式の交流電力を出力する装置である。また、本実施形態における系統電源ＳＰは、第１の負荷ＬＤ１を通り且つ第１の出力端ＯＴ１から第２の出力端ＯＴ２までの回路（Ｒ相）と、第２の負荷ＬＤ２を通り且つ第２の出力端ＯＴ２から第３の出力端ＯＴ３までの回路（Ｔ相）とに、互いに１８０度位相がずれた交流電力が供給される。
【００２８】
更に、分散型給電システム１は、第１の接続点ＣＰ１と第１の負荷ＬＤ１の一端との間の第２の接続点ＣＰ２で第１の電源ケーブルＣＢ１に接続され、第２の電源ケーブルＣＢ２に第４の接続点ＣＰ４で接続され、第２の接続点ＣＰ２と第４の接続点ＣＰ４を介して第１の負荷ＬＤ１へ電力を供給する第２の電力供給装置ＰＳ２を備える。本実施形態における第２の電力供給装置ＰＳ２は、一例として、単相３線式の交流電力を出力する装置である。
【００２９】
第１の電源ケーブルＣＢ１は、第１の接続点ＣＰ１と第２の接続点ＣＰ２との間で電力の出入りする分岐点がなく、第１の接続点ＣＰ１と第２の接続点ＣＰ２との間の第１の電源ケーブルＣＢ１には、負荷が設けられておらず、且つ電流センサも配置されていない。また、第２の電源ケーブルＣＢ２は、第３の接続点ＣＰ３と第４の接続点ＣＰ４との間で電力の出入りする分岐点がなく、第３の接続点ＣＰ３と第４の接続点ＣＰ４との間の第２の電源ケーブルＣＢ２には、負荷が設けられておらず、且つ電流センサも配置されていない。
【００３０】
また、第２の電源ケーブルＣＢ２は、第２の負荷ＬＤ２の一端にも接続されている。第１の電力供給装置ＰＳ１は、系統電源ＳＰの第３の出力端ＯＴ３と第２の負荷ＬＤ２の他端との間に接続された第３の電源ケーブルＣＢ３に第５の接続点ＣＰ５で接続されている。第１の電力供給装置ＰＳ１は、第３の接続点ＣＰ３と第５の接続点ＣＰ５を介して第２の負荷ＬＤ２へ電力を供給する。
【００３１】
第２の電力供給装置ＰＳ２は、第５の接続点ＣＰ５と第２の負荷ＬＤ２の他端との間の第６の接続点ＣＰ６で第３の電源ケーブルＣＢ３に接続され、第２の電源ケーブルＣＢ２に接続され、第４の接続点ＣＰ４と第６の接続点ＣＰ６を介して第２の負荷ＬＤ２へ電力を供給する。そして、第３の電源ケーブルＣＢ３は、第５の接続点ＣＰ５と第６の接続点ＣＰ６との間で電力の出入りする分岐点がなく、第５の接続点ＣＰ５と第６の接続点ＣＰ６との間の第３の電源ケーブルＣＢ３には、負荷が設けられておらず、且つ電流センサも配置されていない。
【００３２】
更に、分散型給電システム１は、系統電源ＳＰの第１の出力端ＯＴ１と第１の接続点ＣＰ１との間で第１の電源ケーブルＣＢ１上に配置され、第１の電源ケーブルＣＢ１に流れる電流値である第１の電流値を検出する第１の電流センサＣＴ１を備える。本実施形態では、一例として、第１の電流センサＣＴ１は、変流器（Current Transformer：ＣＴ）であるものとして以下説明する。
【００３３】
更に、分散型給電システム１は、系統電源ＳＰの第１の出力端ＯＴ１と第１の接続点ＣＰ１との間で第１の電源ケーブルＣＢ１上に配置され、第１の電源ケーブルＣＢ１に流れる電流値である第２の電流値を検出する第２の電流センサＣＴ２を備える。本実施形態では、一例として、第２の電流センサＣＴ２は、変流器（ＣＴ）であるものとして以下説明する。
【００３４】
更に、分散型給電システム１は、系統電源ＳＰの第３の出力端ＯＴ３と第５の接続点ＣＰ５との間で第３の電源ケーブルＣＢ３上に配置され、第３の電源ケーブルＣＢ３に流れる電流値である第３の電流値を検出する第３の電流センサＣＴ３を備える。本実施形態では、一例として、第３の電流センサＣＴ３は、変流器（ＣＴ）であるものとして以下説明する。
【００３５】
更に、分散型給電システム１は、系統電源ＳＰの第３の出力端ＯＴ３と第５の接続点ＣＰ５との間で第３の電源ケーブルＣＢ３上に配置され、第３の電源ケーブルＣＢ３に流れる電流値である第４の電流値を検出する第４の電流センサＣＴ４を備える。本実施形態では、一例として、第４の電流センサＣＴ４は、変流器（ＣＴ）であるものとして以下説明する。
【００３６】
また、第１の電力供給装置ＰＳ１は、第１の電力供給装置ＰＳ１内部の記憶手段（不図示）に記憶された第１の閾値の値を変更する第１閾値変更手段（不図示）を有する。第１閾値変更手段は、第１の電力供給装置ＰＳ１の筐体外側に設けられた入力装置（不図示）と接続されてユーザが第１の閾値を操作できるよう構成されていても良いし、外部機器から送られた無線（又は有線）信号に応じて第１の閾値を変更できるよう構成されていても良い。
【００３７】
また、第２の電力供給装置ＰＳ２は、第２の電力供給装置ＰＳ２内部の記憶手段（不図示）に記憶された第２の閾値の値を変更する第２閾値変更手段（不図示）を有する。第２閾値変更手段は、第２の電力供給装置ＰＳ２の筐体外側に設けられた入力装置（不図示）と接続されてユーザが第２の閾値を操作できるよう構成されていても良いし、外部機器から送られた無線（又は有線）信号に応じて第２の閾値を変更できるよう構成されていても良い。
【００３８】
ただし、後述するように、第１の閾値と第２の閾値の何れか一方のみ可変で、他方が固定となるような構成であっても良い。例えば、第１の電力供給装置ＰＳ１のみ第１閾値変更手段を有し、第２の電力供給装置ＰＳ２は第２の閾値を変更する手段を有さない構成としても良いし、第２の電力供給装置ＰＳ２のみ第２閾値変更手段を有し、第１の電力供給装置ＰＳ１は第１の閾値を変更する手段を有さない構成としても良い。
【００３９】
以上のような構成を有する分散型給電システム１の動作について以下、説明する。まず、第１の電力供給装置ＰＳ１の動作について説明する。
第１の電力供給装置ＰＳ１は、負荷追従型であって、且つ、系統電源ＳＰから負荷ＬＤに対して第１の閾値以上の電力が供給されている状態であることを前提に電力を供給（出力）するタイプの電力供給装置である。即ち、第１の電力供給装置ＰＳ１は、第１の電流値と第３の電流値を用いて、系統電源ＳＰ１から第１の負荷ＬＤ１及び第２の負荷ＬＤ２へ供給される電力の値である第１の電力値（総買電電力値）を算出する。そして第１の電力供給装置ＰＳ１は、この第１の電力値と第１の閾値とを比較し、比較結果に応じて第１の接続点ＣＰ１及び第３の接続点ＣＰ３への出力電力を制御する。
【００４０】
具体的には、第１の電力供給装置ＰＳ１は、系統電源ＳＰ１から第１の負荷ＬＤ１及び第２の負荷ＬＤ２へ供給される第１の電力値が第１の閾値に近づくように、出力電力を制御する。
すなわち、第１の電力供給装置ＰＳ１は、第１の電力値が第１の閾値より大きければ、出力電力を増加させ、第１の電力値が第１の閾値未満であれば、出力電力を停止または減少させる。従って、分散型電源である第１の電力供給装置ＰＳ１が電力を出力する場合、系統ＳＰから第１の負荷ＬＤ１及び第２の負荷ＬＤ２へ第１の閾値以上の電力が供給されている状態となる。
【００４１】
ここで、第１の電力供給装置ＰＳ１において、第１の電力値は、以下のようにして算出される。第１の電力供給装置ＰＳ１は、第１の接続点ＣＰ１と第３の接続点ＣＰ３の間の電圧を計測し、計測した電圧に第１の電流値を乗じることにより、系統ＳＰから第１の負荷ＬＤ１に供給される電力の値を算出する。また、第１の電力供給装置ＰＳ１は、第３の接続点ＣＰ３と第５の接続点ＣＰ５の間の電圧を計測し、計測した電圧に第３の電流値を乗じることにより、系統ＳＰから第２の負荷ＬＤ２に供給される電力の値を算出する。そして、第１の電力供給装置ＰＳ１は、これらの電力の値を加算することにより、系統ＳＰから第１の負荷ＬＤ１及び第２の負荷ＬＤ２に供給される電力の値である第１の電力値を算出する。
【００４２】
次に、第２の電力供給装置ＰＳ２の動作について説明する。
第２の電力供給装置ＰＳ２は、負荷追従型であって、且つ、系統電源ＳＰから負荷ＬＤに対して第２の閾値以上の電力が供給されている状態であることを前提に電力を供給（出力）するタイプの電力供給装置である。即ち、第２の電力供給装置ＰＳ２は、第２の電流値と第４の電流値を用いて、系統電源ＳＰ２から第１の負荷ＬＤ１及び第２の負荷ＬＤ２へ供給される第２の電力値（総買電電力値）を算出する。そして第２の電力供給装置ＰＳ２は、この第２の電力値と第２の閾値とを比較し、比較結果に応じて第２の接続点ＣＰ２及び第４の接続点ＣＰ４への出力電力を制御する。
【００４３】
具体的には、第２の電力供給装置ＰＳ２は、系統電源ＳＰから第１の負荷ＬＤ１及び第２の負荷ＬＤ２へ供給されるが第２の電力値が第２の閾値に近づくように、出力電力を制御する。
すなわち、第２の電力供給装置ＰＳ２は、第２の電力値が第２の閾値より大きければ、出力電力を増加させ、第２の電力値が第２の閾値未満であれば、出力電力を停止または減少させる。従って、分散型電源である第２の電力供給装置ＰＳ２が電力を出力する場合、系統ＳＰから第１の負荷ＬＤ１及び第２の負荷ＬＤ２へ第２の閾値以上の電力が供給されている状態となる。
【００４４】
ここで、第２の電力供給装置ＰＳ２において、第２の電力値は、以下のようにして算出される。第２の電力供給装置ＰＳ２は、第２の接続点ＣＰ２と第４の接続点ＣＰ４の間の電圧を計測し、計測した電圧に第２の電流値を乗じることにより、系統ＳＰから第１の負荷ＬＤ１に供給される第３の電力を算出する。また、第２の電力供給装置ＰＳ２は、第４の接続点ＣＰ４と第６の接続点ＣＰ６の間の電圧を計測し、計測した電圧に第４の電流値を乗じることにより、系統ＳＰから第２の負荷ＬＤ２に供給される第４の電力を算出する。そして、第１の電力供給装置ＰＳ１は、第３の電力と第４の電力を加算することにより、系統ＳＰから第１の負荷ＬＤ１及び第２の負荷ＬＤ２に供給される第２の電力値を算出する。
【００４５】
例えば、第２の電力供給装置ＰＳ２が第１の電力供給装置ＰＳ１よりも優先して第１の負荷ＬＤ１、第２の負荷ＬＤ２へ電力を供給する場合、第２の閾値は、第１の閾値より小さい値に設定される。  一方、例えば、第１の電力供給装置ＰＳ１が第２の電力供給装置ＰＳ２よりも優先して第１の負荷ＬＤ１、第２の負荷ＬＤ２へ電力を供給する場合、第１の閾値は、第２の閾値より小さい値に設定される。
【００４６】
ここで、第２の閾値が可変で第１の閾値が固定である場合がある。例えば、第２の電力供給装置ＰＳ２が第１の電力供給装置ＰＳ１よりも優先して第１の負荷ＬＤ１、第２の負荷ＬＤ２へ電力を供給する場合、第２の閾値は、第１の閾値より小さい値に設定される。一方、第１の電力供給装置ＰＳ１が第２の電力供給装置ＰＳ２よりも優先して第１の負荷ＬＤ１、第２の負荷ＬＤ２へ電力を供給する場合、第２の閾値は、第１の閾値より大きい値に設定される。
【００４７】
一方、第１の閾値が可変で第２の閾値が固定である場合がある。例えば、第１の電力供給装置ＰＳ１が第２の電力供給装置ＰＳ２よりも優先して第１の負荷ＬＤ１、第２の負荷ＬＤ２へ電力を供給する場合、第１の閾値は、第２の閾値より小さい値に設定される。一方、第２の電力供給装置ＰＳ２が第１の電力供給装置ＰＳ１よりも優先して第１の負荷ＬＤ１、第２の負荷ＬＤ２へ電力を供給する場合、第１の閾値は、第２の閾値より大きい値に設定される。
【００４８】
ここで、第１の閾値は、第１の電力供給装置ＰＳ１に設定された最低買電電力、ピークカット電力、またはこれらに準ずる放電閾値である。第２の閾値は、第２の電力供給装置ＰＳ２に設定された最低買電電力、ピークカット電力、またはこれらに準ずる放電閾値である。ここで、最低買電電力は、系統電源ＳＰから第１の負荷ＬＤ１及び第２の負荷ＬＤ２へ合計して常時、最低限供給される正の電力値である。また、ピークカット電力は、電力供給の基準となる電力値であり、例えば、負荷ＬＤの消費電力値がピークカット値よりも大きくなった場合に、第１の電力供給装置ＰＳ１が電力を供給し始める。本実施形態では、一例として、第１の閾値は、第１の電力供給装置ＰＳ１に設定された最低買電電力で、第２の閾値は、第２の電力供給装置ＰＳ２に設定された最低買電電力として以下、説明する。
【００４９】
また、本実施形態では、一例として、第１の電力供給装置ＰＳ１は、燃料電池を備え、第２の電力供給装置は、蓄電池を備えるものとして、以下説明する。
【００５０】
第１の電力供給装置ＰＳ１の最低買電電力は固定値とし、第２の電力供給装置ＰＳ２の最低買電電力を変更することで、第１の電力供給装置ＰＳ１と第２の電力供給装置ＰＳ２の間で放電優先性を入れ替えた例を、図２及び図３を用いて説明する。
【００５１】
図２及び図３の出力電力の変化は、第１の電力供給装置ＰＳ１と第２の電力供給装置ＰＳ２が上述したように制御した結果である。
本実施形態では、第１の電力供給装置ＰＳ１の最低買電電力は、例えば、５０Ｗである。
【００５２】
一方、第２の電力供給装置ＰＳ２は、例えば、最低買電電力が可変であり、例えば、１０Ｗまたは１００Ｗに設定可能である。このように、第２の閾値は、第１の閾値より小さい値に設定される場合と、第１の閾値より大きい値に設定される場合がある。
【００５３】
また、本実施形態では、一例として、第１の電力供給装置ＰＳ１の定格出力電力と第２の電力供給装置ＰＳ２の定格出力電力は異なっており、第１の電力供給装置ＰＳ１の定格出力電力は例えば７００Ｗで、第２の電力供給装置ＰＳ２の定格出力電力は例えば２０００Ｗである。
【００５４】
燃料電池の特性上、負荷が大きくなった場合、瞬時に応答するのではなく徐々に追従する。このように、燃料電池を備える第１の電力供給装置ＰＳ１の出力電力の応答速度が、蓄電池を備える第２の電力供給装置ＰＳ２の出力電力の応答速度より遅い。
【００５５】
ここで、第１の負荷ＬＤ１および第２の負荷ＬＤ２の合計値として、３００Ｗ、２５００Ｗのパルス状の負荷が６００秒ずつ掛かった場合の、第１の電力供給装置ＰＳ１と第２の電力供給装置ＰＳ２の負荷追従による出力電力の時間変化を図２及び図３を用いて説明する。ここで、３００Ｗは、第１の電力供給装置ＰＳ１と第２の電力供給装置ＰＳ２のどちらでも一方のみで供給できる電力値として選択し、２５００Ｗは、両方の電力供給装置を運転しなければ供給できない電力値として選択した。
【００５６】
図２は、第２の閾値が第１の閾値より小さい値に設定されている場合の、第１の電力供給装置ＰＳ１と第２の電力供給装置ＰＳ２の出力電力の時間変化の一例である。図２において、系統電源ＳＰの出力電力の時間変化を示す曲線Ｌ−ＳＰ、第１の電力供給装置ＰＳ１の出力電力の時間変化を示す曲線Ｌ−ＰＳ１、第２の電力供給装置ＰＳ２の出力電力の時間変化を示す曲線Ｌ−ＰＳ２、及び負荷ＬＤの消費電力の時間変化を示す曲線Ｌ−ＬＤが示されている。図２の例では、第１の閾値は５０Ｗで、第２の閾値は１０Ｗである。
【００５７】
図２に示すように、３００Ｗの負荷に対して、蓄電池を備える第２の電力供給装置ＰＳ２の出力が２９０Ｗであるのに対し、燃料電池を備える第１の電力供給装置ＰＳ１の出力は０Ｗである。また、２５００Ｗの負荷に対して、第２の電力供給装置ＰＳ２である蓄電池が定格出力電力を出力し、不足電力分を第１の電力供給装置ＰＳ１と系統電源が負担する。
このように、第２の閾値が第１の閾値より小さい値に設定されているので、第１の電力供給装置ＰＳ１より第２の電力供給装置ＰＳ２の方が、放電優先性が高くなる。
【００５８】
図２に示すように、時間ｔ１において、負荷ＬＤの消費電力が所定値（例えば、０）から第２の電力供給装置ＰＳ２の定格出力電力以下の電力（例えば、３００Ｗ）に増加している時、第２の電力供給装置ＰＳ２は、第２の電力値を算出し、算出した第２の電力値と第２の閾値（１０Ｗ）とを比較する。そして、第２の電力値が第２の閾値（例えば、１０Ｗ）に近づくように、第２の接続点ＣＰ２へ出力する電力を増加させる。
【００５９】
このように、第２の電力供給装置ＰＳ２は、負荷ＬＤの消費電力が所定値（例えば、０Ｗ）から第２の電力供給装置ＰＳ２の定格出力電力以下の電力（例えば、３００Ｗ）に増加している時に、追従して電力を上昇させる。その結果、時間ｔ１において、２９０Ｗの電力を第２の接続点ＣＰ２へ出力する。その結果、時刻ｔ１において、第１の電力供給装置ＰＳ１で算出された第１の電力値が１０Ｗとなる。
【００６０】
一方、第１の電力供給装置ＰＳ１は、第２の電力供給装置ＰＳ２より出力電力の応答速度が低く、負荷ＬＤの消費電力が所定値（例えば、０Ｗ）から第２の電力供給装置ＰＳ２の定格出力電力以下の電力（例えば、３００Ｗ）に増加している時に、追従して電力を上昇させることができない。
【００６１】
時刻ｔ１において、第１の電力供給装置ＰＳ１で算出される第１の電力値が１０Ｗとなる。第１の電力供給装置ＰＳ１は、この第１の電力値と第１の閾値（５０Ｗ）を比較し、第１の電力値が第１の閾値（５０Ｗ）より低いので、時間ｔ１において、電力を出力しない。
【００６２】
そして、時間ｔ１から時間ｔ２の間、第２の電力供給装置ＰＳ２が２９０Ｗの電力を第２の接続点ＣＰ２へ出力する。時間ｔ１から時間ｔ２の間、第１の電力供給装置ＰＳ１で算出される第１の電力値が１０Ｗで第１の閾値（５０Ｗ）より低いので、第１の電力供給装置ＰＳ１は、電力を出力しない。その結果、時間ｔ１から時間ｔ２の間、系統電源ＳＰから１０Ｗの電力が出力される。これにより、合計３００Ｗの電力が負荷ＬＤへ供給される。
【００６３】
一方、図２に示すように、時間ｔ３において、負荷ＬＤの消費電力が所定値（例えば、０Ｗ）から第２の電力供給装置ＰＳ２の定格出力電力を超える電力（例えば、２５００Ｗ）に増加した時、第２の電力供給装置ＰＳ２で算出される第２の電力値が第２の閾値（１０Ｗ）を超える。時間ｔ３において、第２の電力供給装置ＰＳ２は、この第２の電力値が第２の閾値に近づくように第２の接続点ＣＰ２へ出力する電力を増加させる。その結果、第２の電力供給装置ＰＳ２は、定格出力電力（例えば、２０００Ｗ）を出力する。
【００６４】
第１の電力供給装置ＰＳ１の出力電力の応答速度が遅いため、時間ｔ３における第１の電力供給装置ＰＳ１の出力電力は０Ｗである。その結果、時間ｔ３において、系統電源ＳＰは、第１の出力端ＯＴ１から５００Ｗの電力を出力する。これにより、時間ｔ３において、合計２５００Ｗが負荷ＬＤへ供給される。
【００６５】
時間ｔ３から時間ｔ４の間、第２の電力供給装置ＰＳ２で算出される第２の電力値が第２の閾値（例えば、１０Ｗ）を超える。そのため、第２の電力供給装置ＰＳ２は、この第２の電力値が第２の閾値に近づくように、第２の電力供給装置ＰＳ２の定格出力電力（例えば、２０００Ｗ）を出力し続ける。
【００６６】
一方、時間ｔ３から時間ｔ４までの間、第１の電力供給装置ＰＳ１で算出される第１の電力値が第１の閾値（例えば、５０Ｗ）を超える。そのため、第１の電力供給装置ＰＳ１は、この第１の電力値が第１の閾値（例えば、５０Ｗ）に近づくように、第１の接続点ＣＰ１へ出力する電力を増加させる。その結果、時間ｔ３から時間ｔ４までの間、系統電源ＳＰは、時間ｔ３における第１の出力端ＯＴ１からの出力電力（例えば、５００Ｗ）から、第１の電力供給装置ＰＳ１が第１の接続点ＣＰ１へ出力する電力の分だけ、第１の出力端ＯＴ１から出力する電力を下げる。
【００６７】
時間ｔ４において、第１の電流センサＣＴ１が検出した電流値が第１の閾値（例えば、５０Ｗ）と同じになる。そのため、第１の電力供給装置ＰＳ１は、４５０Ｗの電力を第１の接続点ＣＰ１へ出力する。
また、時間ｔ４から時間ｔ５までの間、第１の電力供給装置ＰＳ１は、４５０Ｗの電力を第１の接続点ＣＰ１へ出力し続ける。また、時間ｔ４から時間ｔ５までの間、系統電源ＳＰは、第１の出力端ＯＴ１から５０Ｗの電力を出力し続ける。これにより、時間ｔ４から時間ｔ５までの間、合計２５００Ｗが負荷ＬＤへ供給される。
【００６８】
図３は、第２の閾値が第１の閾値より大きい値に設定されている場合の、第１の電力供給装置ＰＳ１と第２の電力供給装置ＰＳ２の出力電力の時間変化の一例である。図２において、系統電源ＳＰの出力電力の時間変化を示す曲線Ｌ−ＳＰ、第１の電力供給装置ＰＳ１の出力電力の時間変化を示す曲線Ｌ−ＰＳ１、第２の電力供給装置ＰＳ２の出力電力の時間変化を示す曲線Ｌ−ＰＳ２、及び負荷ＬＤの出力電力の時間変化を示す曲線Ｌ−ＬＤが示されている。図３の例では、第１の閾値は５０Ｗで、第２の閾値は１００Ｗである。
【００６９】
図３の例では、第２の閾値が、第１の閾値より大きい値に設定され、且つ第１の電力供給装置ＰＳ１の出力電力の応答速度が第２の電力供給装置ＰＳ２の出力電力の応答速度より遅い。このため、図３に示すように、３００Ｗの負荷に対して、始めは出力電力の応答速度が第１の電力供給装置ＰＳ１より速い第２の電力供給装置ＰＳ２と系統電源ＳＰが電力を分担して出力する。一方、第１の電力供給装置ＰＳ１の出力電力が時間の経過に従って増加し、最終的には、第１の電力供給装置ＰＳ１は、蓄電池を備える第２の電力供給装置ＰＳ２の出力が２５０Ｗであるのに対し、燃料電池を備える第１の電力供給装置ＰＳ１の出力は０Ｗであり、系統電源ＳＰは５０Ｗの電力を出力する。
【００７０】
一方、２５００Ｗの負荷に対して、始めは出力電力の応答速度が第１の電力供給装置ＰＳ１より速い第２の電力供給装置ＰＳ２が定格出力電力を出力する。第１の電力供給装置ＰＳ１の出力電力が時間の経過に従って増加し、最終的には、第１の電力供給装置ＰＳ１が定格出力電力を出力し、不足電力分を第１の電力供給装置ＰＳ１と系統電源が負担する。
【００７１】
このように、第２の閾値が第１の閾値より大きい値に設定されているので、第１の電力供給装置ＰＳ１の方が、放電優先性が高くなる。
【００７２】
図３に示すように、時間ｔ６において、負荷ＬＤの消費電力が所定値（例えば、０Ｗ）から第１の電力供給装置ＰＳ１の定格出力電力以下の電力（３００Ｗ）に増加した時、第２の電力供給装置ＰＳ２で算出される第２の電力値が第２の閾値（１００Ｗ）を超える。そのため、第２の電力供給装置ＰＳ２は、この第２の電力値が第２の閾値（１００Ｗ）に近づくように、第２の接続点ＣＰ２へ出力する電力を増加させる。
【００７３】
その結果、時間ｔ６において、第２の電力供給装置ＰＳ２が第２の接続点に２００Ｗの電力を出力し、系統ＳＰが第１の出力端ＯＴ１から１００Ｗの電力を出力する。これにより、合計３００Ｗの電力が負荷ＬＤに供給される。
【００７４】
その後、時間ｔ６から時間ｔ７の間で、第１の電力供給装置ＰＳ１で算出される第１の電力値が１００Ｗであり第１の閾値（５０Ｗ）を超える。そのため、第１の電力供給装置ＰＳ１は、この第１の電力値が第１の閾値（５０Ｗ）に近づくように、第１の接続点ＣＰ１へ出力する電力を増加させる。
【００７５】
一方、時間ｔ６から時間ｔ７の間で、第１の電力供給装置ＰＳ１が出力する電力が増加することで、第２の電力供給装置ＰＳ２で算出される第２の電力値が第２の閾値（１００Ｗ）未満となる。そのため、第２の電力供給装置ＰＳ２は、第２の電流センサＣＴ２が検出した電流値より算出される電力値が第２の閾値（１００Ｗ）に近づくように、第２の接続点ＣＰ２へ出力する電力を減少させる。その結果、第２の電力供給装置ＰＳ２は、時間ｔ６における出力電力から、第１の電力供給装置ＰＳ１の出力電力の増加分だけ第２の接続点ＣＰ２へ出力する電力を減少させる。その結果、時間ｔ７には、第２の電力供給装置ＰＳ２の出力電力が０Ｗとなる。
【００７６】
その後、時間ｔ７から時間ｔ８の間で、第１の電力供給装置ＰＳ１で算出される第１の電力値が１００Ｗであり第１の閾値（５０Ｗ）を超える。そのため、第１の電力供給装置ＰＳ１は、引き続き、この第１の電力値が第１の閾値（５０Ｗ）に近づくように、第１の接続点ＣＰ１へ出力する電力を増加させる。その結果、時間ｔ７から時間ｔ８の間で、系統電源ＳＰの出力電力は、その間の第１の電力供給装置ＰＳ１の出力電力の増加分だけ減少する。
【００７７】
時間ｔ８で、第１の電流センサＣＴ１が検出した電流値が第１の閾値（５０Ｗ）になり、時間ｔ８から時間ｔ９の間で、第１の電力供給装置ＰＳ１は、２５０Ｗの電力を第１の接続点ＣＰ１に出力し続ける。また。時間ｔ８から時間ｔ９の間で、系統電源ＳＰは、５０Ｗの電力を第１の接続点ＣＰ１に出力し続ける。これにより、合計３００Ｗの電力が負荷ＬＤへ供給される。
【００７８】
図３に示すように、時間ｔ１０において、負荷ＬＤの消費電力が所定値（例えば、０Ｗ）から第１の電力供給装置ＰＳ１の定格出力電力（７００Ｗ）及び第２の電力供給装置ＰＳ２の定格出力電力（２０００Ｗ）を超える電力に変化した時、第２の電力供給装置ＰＳ２で算出される第２の電力値が第２の閾値（１００Ｗ）を超える。そのため、第２の電力供給装置ＰＳ２は、第２の接続点ＣＰ２へ出力する電力を増加させる。そして、時間ｔ１０において、第２の電力供給装置ＰＳ２は、第２の電力供給装置ＰＳ２の定格出力電力（２０００Ｗ）を第２の接続点ＣＰ２へ出力する。また、系統電源ＳＰは、第１の出力端ＯＴ１から、不足電力分の５００（＝２５００−２０００）Ｗの電力を出力する。
【００７９】
その後、時間ｔ１０から時間ｔ１１の間において、第１の電力供給装置ＰＳ１で算出される第１の電力値が第１の閾値（５０Ｗ）を超える。そのため、第１の電力供給装置ＰＳ１は、この第１の電力値が第１の閾値（５０Ｗ）に下げようとして、第１の接続点ＣＰ１へ出力する電力を増加させる。
【００８０】
時間ｔ１１のとき、第１の電力供給装置ＰＳ１で算出される第１の電力値が１００Ｗで未だ第１の閾値（５０Ｗ）を超える。そのため、第１の電力供給装置ＰＳ１は、この第１の電力値を第１の閾値（５０Ｗ）に下げようとして、第１の接続点ＣＰ１へ出力する電力を増加させる。
【００８１】
一方、時間ｔ１１において、第２の電力供給装置ＰＳ２で算出される第２の電力値が第２の閾値（１００Ｗ）より下がり始める。第２の電力供給装置ＰＳ２は、この第２の電力値を第２の閾値（１００Ｗ）に維持するため、第１の電力供給装置ＰＳ１の単位時間あたりの増加電力値だけ、単位時間あたりに出力電力を減少させる。これにより、この第２の電力値がほぼ１００Ｗに維持される。
【００８２】
このように、第２の電力供給装置ＰＳ２で算出される第２の電力値が第２の閾値まで下がった場合、第２の電力供給装置ＰＳ２は、この第２の電力値が第２の閾値を維持するように第２の接続点へ出力する電力を減少させる。
【００８３】
時間ｔ１１から時間ｔ１２において、第１の電力供給装置ＰＳ１は、第１の電力供給装置ＰＳ１で算出される第１の電力値（１００Ｗ）が第１の閾値（５０Ｗ）を超えている。このため、第１の電力供給装置ＰＳ１は、この第１の電力値を下げるために、第１の接続点ＣＰ１へ出力する電力を増加させ続ける。
【００８４】
一方、第２の電力供給装置ＰＳ２は、第２の電力供給装置ＰＳ２で算出される第２の電力値を第２の閾値（１００Ｗ）に維持するため、第１の電力供給装置ＰＳ１の単位時間あたりの増加電力値だけ、単位時間あたりに出力電力を減少させ続ける。これにより、時間ｔ１１から時間ｔ１２において、系統電力の出力電力は、ほぼ１００Ｗに維持される。
【００８５】
時間ｔ１２において、第１の電力供給装置ＰＳ１の出力電力は、第１の電力供給装置ＰＳ１の定格出力電力となる。
このように、結果的に、第１の電力供給装置ＰＳ１は、第１の接続点ＣＰ１へ出力する電力を第１の電力供給装置の定格出力電力（７００Ｗ）まで増加させる。
【００８６】
時間ｔ１２から時間ｔ１３において、第１の電力供給装置ＰＳ１は、第１の電力供給装置ＰＳ１の定格出力電力（７００Ｗ）を第１の接続点ＣＰ１から出力し続ける。一方、時間ｔ１２から時間ｔ１３において、第２の電力供給装置ＰＳ２は、第２の電力供給装置ＰＳ２で算出される第２の電力値が第２の閾値（例えば、１００Ｗ）に近づくように、１７００（＝２５００−７００−１００）Ｗの電力を第２の接続点ＣＰ２へ出力し続ける。その結果、時間ｔ１２から時間ｔ１３において、系統電源ＳＰが１００Ｗの電力を出力し続ける。
【００８７】
このように、負荷の消費電力が所定値から第１の電力供給装置ＰＳ１の定格出力電力及び第２の電力供給装置ＰＳ２の定格出力電力を超える電力に増加した場合、第１の電力供給装置ＰＳ１は、第１の電力供給装置ＰＳ１で算出される第１の電力値が第１の閾値に近づくように、第１の接続点へ出力する電力を増加させ、第２の電力供給装置ＰＳ２は、第２の電力供給装置ＰＳ２で算出される第２の電力値が第２の閾値に近づくように、第２の接続点ＣＰ２へ出力する電力を制御する。
【００８８】
また、放電優先性が高い第１の電力供給装置ＰＳ１の出力電力が負荷の変動に応じて５００Ｗまで増加するまで、第２の電力供給装置ＰＳ２が定格出力電力を出力する。これにより、系統電源ＳＰからの出力電力、すなわち系統電源ＳＰからの総買電電力値を必要最低限に抑えることができる。
【００８９】
以上のように、本実施形態に係る分散型給電システム１は、系統電源ＳＰの第１の出力端ＯＴ１と第１の負荷ＬＤ１の一端との間に接続された第１の電源ケーブルＣＢ１に第１の接続点ＣＰ１で接続され、系統電源ＳＰの第２の出力端ＯＴ２と第１の負荷ＬＤ１の他端との間に接続された第２の電源ケーブルに接続され、第１の接続点ＣＰ１を介して第１の負荷ＬＤ１へ電力を供給する第１の電力供給装置ＰＳ１を備える。
【００９０】
更に、分散型給電システム１は、第１の接続点ＣＰ１と第１の負荷ＬＤ１の一端との間の第２の接続点ＣＰ２で第１の電源ケーブルＣＢ１に接続され、第２の電源ケーブルＣＢ２に接続され、第２の接続点ＣＢ２を介して第１の負荷ＬＤ１へ電力を供給する第２の電力供給装置ＰＳ２を備える。
【００９１】
更に、分散型給電システム１は、系統電源ＳＰの第１の出力端ＯＴ１と第１の接続点ＣＰ１との間で第１の電源ケーブルＣＢ１上に配置され、第１の電源ケーブルＣＢ１に流れる電流を検出する第１の電流センサＣＴ１を備える。
更に、分散型給電システム１は、系統電源ＳＰの第１の出力端ＯＴ１と第１の接続点ＣＰ１との間で第１の電源ケーブルＣＢ１上に配置され、第１の電源ケーブルＣＢ１に流れる電流を検出する第２の電流センサＣＴ２を備える。
【００９２】
第１の電力供給装置ＰＳ１は、第１の電力供給装置ＰＳ１で算出される第１の電力値が第１の閾値に近づくように、第１の接続点ＣＰ１へ出力する電力を制御する。第２の電力供給装置ＰＳ２は、第２の電力供給装置ＰＳ２で算出される第２の電力値が第１の閾値とは異なる第２の閾値に近づくように、第２の接続点ＣＰ２へ出力する電力を制御する。
【００９３】
第２の電力供給装置ＰＳ２が第１の電力供給装置ＰＳ１よりも優先して第１の負荷ＬＤ１、第２の負荷ＬＤ２へ電力を供給する場合、第２の閾値は、第１の閾値より小さい値に設定される。一方、第１の電力供給装置ＰＳ１が第２の電力供給装置ＰＳ２よりも優先して第１の負荷ＬＤ１、第２の負荷ＬＤ２へ電力を供給する場合、第１の閾値は、第２の閾値より小さい値に設定される。
【００９４】
このように本実施形態に係る分散型給電システム１は、閾値の設定を変更することで、電気工事を要さずに、電力供給装置の放電優先性を簡易に変更することができる。
【００９５】
また、本実施形態に係る分散型給電システム１は、結線が単純なため、配線ミスが生じにくいという利点がある。
【００９６】
なお、第１の電流センサＣＴ１と第２の電流センサＣＴ２は、第１の電源ケーブルＣＢ１のうち、互いに電気的に同一の位置、即ち、間に分岐線路や負荷の接続がなく等しい電流を観測できる位置に配置されているので、第１の電流センサＣＴ１と第２の電流センサＣＴ２を共通化して一つの電流センサ（以下、第１共通電流センサという。）にしてもよい。同様に、第３の電流センサＣＴ３と第４の電流センサＣＴ４は、第３の電源ケーブルＣＢ３のうち、互いに電気的に同一の位置、即ち、間に分岐線路や負荷の接続がなく等しい電流を観測できる位置に配置されているので、第３の電流センサＣＴ３と第４の電流センサＣＴ４を共通化して一つの電流センサ（以下、第２共通電流センサという。）にしてもよい。この場合、第１の電力供給装置ＰＳ１は、第１共通電流センサと第２共通電流センサから取得した各電流値から、上述した第１の電力値を算出して出力電力を制御する。同様に、第２の電力供給装置ＰＳ２は、第１の共通電流センサと第２共通電流センサから取得した各電流値から、上述した第２の電力値を算出して出力電力を制御する。これにより、部品点数を削減することができるので、コストを低減することができる。
【００９７】
なお、本実施形態では、系統電源ＳＰ、第１の電力供給装置ＰＳ１、及び第２の電力供給装置ＰＳ２は交流電流を出力したが、これに限らず、直流電力を出力してもよい。
【００９８】
また、本実施形態では、第１の電力供給装置ＰＳ１は、第１の接続点ＣＰ１と第３の接続点ＣＰ３との間の電圧を計測し、第３の接続点ＣＰ３と第５の接続点ＣＰ５との間の電圧を計測したが、電圧の変動は小さいので１００Ｖと見なしてもよい。
【００９９】
同様に、本実施形態では、第２の電力供給装置ＰＳ２は、第２の接続点ＣＰ２と第４の接続点ＣＰ４との間の電圧を計測し、第４の接続点ＣＰ４と第６の接続点ＣＰ６との間の電圧を計測したが、電圧の変動は小さいので１００Ｖと見なしてもよい。
【０１００】
また、本実施形態では、第１の電力値を第１の閾値と比較したが、これに限らず、第１の閾値を電流に換算した値を新たに第１の閾値として、第１の電流値と第３の電流値の実効値の合計を、この第１の閾値と比較してもよい。
同様に、本実施形態では、第２の電力値を第２の閾値と比較したが、これに限らず、第２の閾値を電流に換算した値を新たに第２の閾値として、第２の電流値と第４の電流値の実効値の合計を、この第２の閾値と比較してもよい。
【０１０１】
なお、本実施形態では、単相３線式の交流電力の場合を例に、第１の電力供給装置ＰＳ１と第２の電力供給装置ＰＳ２がそれぞれ２つの電流センサを有し中性相以外の２本の電源ケーブルを流れる電流を検出して系統電源ＳＰから負荷ＬＤに供給される電力を算出する構成を説明したが、本発明は、これに限定されるものではなく、第１の電力供給装置ＰＳ１と第２の電力供給装置ＰＳ２がそれぞれ一つの電流センサを有し系統電源ＳＰから負荷ＬＤに供給される電力を算出する構成としても良い。即ち、例えば、単相２線式の交流システムに適用する場合、第１の電力供給装置ＰＳ１も第２の電力供給装置ＰＳ２もそれぞれ一つの電流センサを有し、各々電流を検出して系統電源ＳＰから負荷ＬＤに供給される電力を算出する。この場合、各電流センサは、第１の電力供給装置ＰＳ１と第２の電力供給装置ＰＳ２の各出力点よりも上流側（即ち系統電源ＳＰ側）で互いに電気的に同一の位置、即ち、間に分岐線路や負荷の接続がなく等しい電流を観測できる位置に配置される。従って、この場合、第１の電力供給装置ＰＳ１の電流センサと、第２の電力供給装置ＰＳ２の電流センサは共通化され一つの電流センサにしても良い。
【０１０２】
なお、実施形態は例示であり、発明の範囲はそれらに限定されない。
【符号の説明】
【０１０３】
１  分散型給電システム
ＳＰ  系統電源（交流電源）
ＯＴ１  第１の出力端
ＯＴ２  第２の出力端
ＯＴ３  第３の出力端
ＰＳ１  第１の電力供給装置
ＰＳ２  第２の電力供給装置
ＬＤ  負荷
ＬＤ１  第１の負荷
ＬＤ２  第２の負荷
ＣＢ１  第１の電源ケーブル
ＣＢ２  第２の電源ケーブル
ＣＢ３  第３の電源ケーブル
ＣＰ１  第１の接続点
ＣＰ２  第２の接続点
ＣＰ３  第３の接続点
ＣＰ４  第４の接続点
ＣＰ５  第５の接続点
ＣＰ６  第６の接続点
ＣＴ１  第１の電流センサ
ＣＴ２  第２の電流センサ
ＣＴ３  第３の電流センサ
ＣＴ４  第４の電流センサ
【図１】
2016019368.tif 000003
【図２】
2016019368.tif 000004
【図３】
2016019368.tif 000005